(57)【要約】【課題】  本発明は、カメラの操作部材を操作するだけで、光学ＬＰＦの種別を変えたり、または撮影光路外に退避させたりといった動作が、容易にかつ速やかに可能になり、撮影者の意図に忠実な撮影をできるようにすることを目的とする。【解決手段】  光学異方性高分子フィルム等のフィルム状光学ＬＰＦの可撓性に着目し、光学ＬＰＦを任意に退避可能な構成とすることにより、解像感を重要視するような撮影状況においてはこれを退避させ、解像感の低下を極力抑制できる機構とした。【選択図】  図３
2005328459.tif 000002
【特許請求の範囲】
【請求項１】
被写体像を形成する撮影光学系と、前記撮影光学系が形成する被写体像を電気信号に変換する撮像素子と、前記撮影光学系と前記撮像素子との間に配置されて、前記撮影光学系からの被写体光を透過し、かつ該被写体光の空間周波数を制限する光学的ローパスフィルタを備えたデジタルカメラにおいて、
前記光学的ローパスフィルタは、可撓性フィルムで形成され、かつ撮影光路外に退避する退避部材を備えたことを特徴とするデジタルカメラ。
【請求項２】
前記退避部材は、前記撮影光学系の撮影光軸に対し、略直交する位置に回転軸を有するローラにより、前記光学的ローパスフィルタが収納されることを特徴とする請求項１記載のデジタルカメラ。
【請求項３】
前記光学的ローパスフィルタは、分離幅の異なる複数のローパスフィルタで構成され、所望のローパスフィルタを選択的に使用できることを特徴とする請求項１または２記載のデジタルカメラ。
【発明の詳細な説明】
【技術分野】
【０００１】
本発明は、デジタルカメラ更に詳しくはＣＣＤやＣＭＯＳ等よりなる撮像素子などに用いられる光学的ローパスフィルタ（以後光学ＬＰＦという）に関し、フィルム状の光学ＬＰＦを用いて、その可撓性を利用して、撮影状況に応じて光学ＬＰＦを撮影光路外から退避可能とする機構に関するものである。
【背景技術】
【０００２】
ＣＣＤやＣＭＯＳ等よりなる撮像素子を使用した撮像光学系においては、被写体光の高空間周波数成分を制限し、擬似信号の発生に伴う被写体による光とは異なる色成分を除去するために、光学ＬＰＦが用いられている。この光学ＬＰＦとして、従来一般的には、水晶板などによる複屈折タイプのものが広く使われている。
【０００３】
この水晶板は屈折率の異方性がさほど大きくなく、制限すべき所定の空間周波数を得るためには、水晶板の厚さが通常１ｍｍ程度必要となる。それを複数枚貼り合わせて使用するために、トータルの厚みが厚くなり、その結果、機器の小型化や軽量化を阻害するばかりでなく、収差やゴーストなど光学的性能の低下の要因ともなる。
【０００４】
また、ニオブ酸リチウムなど屈折率の異方性が大きい材料が知られている。この材料の場合は屈折率の異方性が大きいため、制限すべき所定の空間周波数を得るための厚みは水晶に比べて極めて薄くできるが、反面、厚み加工上あるいは貼り合わせ加工上の技術的困難さがあり、その結果、コストが高くなる。
【０００５】
一方、高分子製光学ＬＰＦが特開平０８−１２２７０８号公報に開示されている。これは、光学異方性高分子フィルムよりなるもので、製造が容易であり、特定の光学的特性を有するものであることにより、光学ＬＰＦとして優れた機能を有し、小型化、軽量化が図れると共に、コスト的にも有利と言えるものである。
【０００６】
しかしながら、特に、銀塩フィルムを用いることを想定して設計された交換可能なレンズを撮影レンズとして流用することを前提としてデジタル一眼レフカメラを構成するとき、上述した技術によりたとえ光学ＬＰＦの厚みが薄くできたとしても、撮影レンズと撮像素子の間に配置されている赤外カットフィルタや撮像素子の保護のためのカバーガラスなどと相俟って、これらの平行平板の存在により、撮影レンズの光線収差を少なからず変化させてしまうという問題を持っている。その結果、条件によっては画面全体で最適な像性能が得られない状況が発生し、解像感の低下などの問題を生じさせていた。
【特許文献１】特開平０８−１２２７０８号公報
【発明の開示】
【発明が解決しようとする課題】
【０００７】
本発明は、以上のような状況に鑑みなされたもので、光学異方性高分子フィルム等のフィルム状光学ＬＰＦの可撓性に着目し、光学ＬＰＦを任意に退避可能な構成とすることにより、解像感を重要視するような撮影状況においてはこれを退避させ、解像感の低下を極力抑制できる機構を提供することを目的とするものである。
【課題を解決するための手段】
【０００８】
上記の目的を達成するために、請求項１記載のデジタルカメラは、被写体像を形成する撮影光学系と、前記撮影光学系が形成する被写体像を電気信号に変換する撮像素子と、前記撮影光学系と前記撮像素子との間に配置されて、前記撮影光学系からの被写体光を透過し、かつ該被写体光の空間周波数を制限する光学ＬＰＦを備えたデジタルカメラにおいて、
前記光学ＬＰＦは、可撓性フィルムで形成され、かつ撮影光路外に退避する退避部材を備えたことを特徴とする。
【０００９】
また前記退避部材は、前記撮影光学系の撮影光軸に対し、略直交する位置に回転軸を有するローラにより、前記光学ＬＰＦが収納されることを特徴とする。
【００１０】
また前記光学ＬＰＦは、分離幅の異なる複数のローパスフィルタで構成され、所望のローパスフィルタを選択的に使用できることを特徴とする。
【発明の効果】
【００１１】
本発明によれば、撮影者が被写体条件に応じて、光学ＬＰＦを任意に撮影光路外に退避可能な構成としたため、解像感を重要視するような撮影状況においてはこれを退避させ、解像感の低下を極力抑制できる。
【００１２】
また、光学ＬＰＦの種類を任意に選択出来る構成としたので、撮影者が自由にその意図を反映した写真を撮影することが出来る。
【発明を実施するための最良の形態】
【００１３】
以下、本発明の実施例について図１乃至図１４に基づき説明する。
【実施例１】
【００１４】
まず、本発明の実施例１を図１乃至図１１に基づき説明する。
【００１５】
図１は、本発明の実施例１に係るデジタルカメラの構成を示す平面図、図２はデジタルカメラの構成を示す背面図、図３はデジタルカメラの構成を示す断面図である。各図において、１００はカメラ本体、１１１はファインダ観察用の接眼窓である。図１及び図２において、１１２はＡＥ（自動露出）ロックボタン、１１３はＡＦ（オートフォーカス）の測距点選択ボタンである。図１において、１１４は撮影操作をするためのレリーズボタンであり、１１５が他の操作釦と併用して、カメラに数値を入力したり、撮影モードを切り換えたりするための多機能信号入力用の電子ダイヤルである。２００は撮影レンズであって、カメラ本体１００に対して交換可能な構成になっている。
【００１６】
図１及び図２において、１１７は撮影モード選択ボタン、１１８はＡＦモード選択ボタン、１１９は測光モード選択ボタンで、調光補正ボタンも兼ねている。図２において、１２０は撮影された画像を表示するＴＦＴ（液晶表示器）モニタ装置である。１２１はＴＦＴモニタ装置１２０をオン／オフするためのモニタスイッチである。
【００１７】
図１及び図２において、１１６は入力用電子ダイヤル１１５と同様の機能を備えた、撮影条件等を選択するためのサブ電子ダイヤルである。図２において、１２２はこのサブ電子ダイヤル１１６による入力機能をロックするダイヤルロックスイッチ、１２３は本デジタルカメラの全ての動作を禁止するメインスイッチである。１２４はＴＦＴモニタ装置１２０に画像を表示する際や、カメラの初期設定の際にモードを選択するためのメニュー釦で、各モードを選択する時は、このメニュー釦１２４を押しながらサブ電子ダイヤル１１６を回転して希望のモードを選択する。希望のモードが選択された時、メニュー釦１２４を離すと選択が完了する。このメニュー釦１２４とサブ電子ダイヤル１１６は、後述のように本発明の光学ＬＰＦの設定にも使用される。
【００１８】
図１及び図２において、１４０は撮影条件等を表示する外部表示機能を備えた液晶表示装置よりなる外部表示装置である。
【００１９】
図３において、撮影レンズ２００は、カメラ本体１００に対して本体マウント２０２を介して交換可能な構成になっている。２０１は撮影光軸を示している。図３において、２０３はクイックリターンミラー、２０４はミラーホルダー、２０５はサブミラーである。クイックリターンミラー２０３とサブミラー２０５は、撮影光路内に設けられていて、撮影レンズ２００からの被写体光をファインダ光学系と焦点検出装置の両方に導く位置（斜設位置）と、撮影光路外に退避する位置（退避位置）との間で移動可能であり、図においては斜設位置にある。また、クイックリターンミラー２０３は半透過になっていて、被写体光の一部が、ミラーホルダー２０４の中央の開口部を通過し、サブミラー２０５に反射して、焦点検出手段であるところの焦点検出装置２０６に導かれる。
【００２０】
図３において、２０７はピント板で、ファインダ光学系に導かれる被写体光を結像する。２０８はファインダの視認性を向上させるためのコンデンサレンズ、２０９はペンタゴナルダハプリズムで、ピント板２０７およびコンデンサレンズ２０８を通った被写体光をファインダ観察用の接眼レンズ２１１および測光センサ２１０に導く。また、１１１はファインダ観察用の接眼窓である。
【００２１】
２１２、２１３はシャッタを構成する後幕と先幕で、これら後幕２１２、先幕２１３の開放によって、後方に配置されているＣＣＤ等の撮像素子２１６に必要な露光を与える。撮影時に撮像素子２１６に蓄積された画像データは、別に設けられた不図示の画像処理回路を通して後述する外部記憶装置に送られる。２１５は本発明の退避手段の一部である第２プーリである。２１４は、同じく本発明の退避手段の一部である第１プーリである。この第１プーリ２１４の内部には、モータが内蔵されている。詳細は後述する。第１プーリ２１４及び第２プーリ２１５は、いずれもその回転軸が撮影光軸と略直交する方向に配置されている。
【００２２】
２１７はプリント基板で、撮像素子２１６が実装されている。この後方にＴＦＴホルダ２１８が配置されており、その外側の面にＴＦＴモニタ装置２２０が配置されている。ＴＦＴモニタ装置２２０は透過型であるため、このモニタ装置の駆動だけでは、画像を視認することは出来ず、必ずその裏面には図３に示すようにバックライト照明装置２１９が配置してある。２２１は画像データを記録するための、着脱可能な外部記憶装置で、２２２はカメラの電源である着脱可能な電池である。
【００２３】
図４は本発明の実施例１に係る光学ＬＰＦの退避手段の構成を説明した図である。
【００２４】
図４において、４０１は第１プーリで、内部にはモータが内蔵されている。４０２は第２プーリで、内部に付勢部材が内蔵されていて、図中の時計回り方向に常時回転付勢されている。また、可撓性フィルムで形成された光学ＬＰＦ４０３は、第１プーリ４０１と第２プーリ４０２にあらかじめ一定量巻き付け固定されている。４０４は光学ＬＰＦ４０３の位置を検出するためのフォトセンサであり、光学ＬＰＦ４０３に形成された位置割出し用のマーカ４０３ａと４０３ｂとにより、光学ＬＰＦ４０３の位置出しを行うことができる。４０３ｃは光学ＬＰＦ４０３に形成された開口部で、撮影時に光学ＬＰＦを不使用にしたい場合は、撮影光路にこの開口部が対応するように、この退避手段を制御することになる。
【００２５】
図５は、光学ＬＰＦ４０３の断面を示したものである。光学ＬＰＦ４０３は、水平分離及び垂直分離をする２枚の複屈折フィルムと、その間に位相フィルムを挟み込むような構成になっている。
【００２６】
図６は、光学ＬＰＦ４０３を説明するための展開図である。４０３ａ、４０３ｂは前述した通り光学ＬＰＦ４０３の退避位置、装着位置を決定するためのマーカで、遮光性の印刷が施してある。このマーカが図４に示すフォトセンサ４０４の検出光軸を遮ると電気信号が発生し、第１プーリに内蔵されたモータの駆動を停止して、その位置を決定する。４０３ｃは開口部であるので、この範囲では光学ＬＰＦ４０３の効果は発生しない。つまり、本発明の退避手段は、光学ＬＰＦを使用するように撮影者が設定をすると、マーカ４０３ｂで停止するように制御し、光学ＬＰＦを不使用に撮影者が設定すると、マーカ４０３ａで停止するように制御される。
【００２７】
図７は、本発明の実施例を示す一眼レフタイプのデジタルカメラの電気回路構成を示すブロック図である。同図において、７０１はプリント基板で、カメラの動作の全てを制御するマイクロコンピュータ７０２、撮像素子７１５の出力である画像データを処理したり、ＴＦＴモニタ装置７１７に画像を表示する画像表示制御回路７１６等が搭載されている。マイクロコンピュータ７０２の内部には、本発明であるところの退避手段の構成の一部である制御プログラムが実装されている。
【００２８】
７０３はＳＷ１で、レリーズボタン１１４（図１参照）の半押し状態でオンするスイッチであり、このスイッチ１がオンすると本デジタルカメラは撮影準備状態になる。７０４はＳＷ２で、レリーズボタン１１４（図１参照）が最後まで押された状態でオンするスイッチであり、このスイッチ２がオンすると本デジタルカメラは撮影動作を開始する。
【００２９】
７０５はレンズ制御回路で、本実施例は、レンズ交換式のデジタルカメラであるので、撮影レンズ２００（図１及び図３参照）との通信及びＡＦ時の撮影レンズ２００の駆動や絞り羽根の駆動の制御をこのレンズ制御回路７０５が受け持っている。また図７において、７０６は外部表示の制御回路で外部表示装置７０７や、ファインダ内の表示装置（不図示）の制御を行う。７０８はスイッチセンス回路で、カメラ内に設けられた電子ダイヤル７０９や、サブ電子ダイヤル７１０を含む多数のスイッチ類の信号をマイクロコンピュータ７０２に伝達する働きをしている。
【００３０】
７１１はストロボ発光調光制御回路で、Ｘ接点７１１ａを介して接地されており、不図示の外部ストロボの制御を行う。７１２は測距回路で、ＡＦのための被写体に対するディフォーカス量を検出する機能を有する。７１３は測光回路で、被写体の輝度を測定する機能を有する。７１４はシャッタの制御を行う回路で、撮像素子７１５に対して適正な露光を行う。ＴＦＴモニタ装置７１７とバックライト照明装置７１８は画像表示手段を構成している。７１９は着脱可能な外部記憶装置である。
【００３１】
図７において、７２０は本発明の退避手段の構成の一部である退避機構制御回路である。７２１はモータ、７２２はフォトセンサである。
【００３２】
次に本発明の実施例１に係るレンズ交換式デジタルカメラの動作を図８に基づき説明する。図８は動作の流れを示すフローチャートである。このフローチャートに示される制御プログラムは、図７に示すマイクロコンピュータ７０２の内部に実装されている。まず、ステップＳ８０１でメインスイッチ１２３（図２参照）がオンしたか否かを判断する。ここでいうオンは、図２でメインスイッチ１２３が‘Ａ’の位置にあるときである。もしここで、メインスイッチ１２３がオフの状態（‘Ｌ’の位置）であれば、そのまま何もせずスタートに戻って、またステップＳ８０１に進む。つまり、電池が入っていてもメインスイッチが‘Ｌ’の位置であれば、ステップＳ８０１からスタートの間のループを繰り返して待機している事になる。一方、メインスイッチ１２３がオンであれば、ステップＳ８０２に進み、本デジタルカメラの各操作スイッチがオンしたか否かを判断する。そして、いずれの操作スイッチも操作されていない時は、スタートに戻って、またステップＳ８０１に進む。
【００３３】
ステップＳ８０２でいずれかの操作スイッチがオンされれば、ステップＳ８０３に進み、オンした操作スイッチに対応した処理をマイクロコンピュータ７０２（図７参照）により行う。この処理は、例えば、本デジタルカメラの各操作部材を操作して、撮影モードを変えたり、撮影済の画像を読み出したり、光学ＬＰＦを設定したりする処理である。ステップＳ８０３を実行した結果、光学ＬＰＦが変更されたか否かをステップＳ８０４で判断する。光学ＬＰＦの具体的な設定方法と表示については後述する。光学ＬＰＦの設定が変更されていなければ、通常の撮影となるので、ステップＳ８１０へ進む。もし、光学ＬＰＦの設定が変更されていれば、ステップＳ８０５に進み、光学ＬＰＦの位置コードを読み取る。これにより、図６の光学ＬＰＦ４０３に備えてあるマーカ４０３ａ、４０３ｂのどれがフォトセンサ４０４を遮っているかということが判る。図６に示す通り、マーカは２進化符号により識別できるようになっている。光路上に光学ＬＰＦの開口部４０３ｃが対応していれば、つまり、マーカ４０３ａがフォトセンサに掛かっていれば、その位置コード（２進化コード）が読み取られる。仮にこの信号を“０”をとする。マーカ４０３ｂがフォトセンサ４０４に掛かっていれば、その位置コード（２進化コード）が読み取られ、この信号を仮に“１”とする。
【００３４】
ステップＳ８０５で光学ＬＰＦの位置コードを読み取った後、ステップＳ８０６へ進み、位置コードが“０”であればモータ正転、“１”であればモータ逆転を、図７の退避機構制御回路７２０にセットする。ステップＳ８０６でモータに通電する。ここで光学ＬＰＦ４０３が移動を開始する。ステップＳ８０７で位置コードの検出を判定し、位置コードを検出したら、つまり、マーカ４０３ａかマーカ４０３ｂがフォトセンサ４０４を遮ったら、ステップＳ８０９に進みモータを停止する。これで光学ＬＰＦの変更が完了する。前述した、ステップＳ８０５からステップＳ８０９を実行することにより、フィルタ無しの場合はフィルタ有りに、フィルタ有りの場合はフィルタ無しに変更される。
【００３５】
一方、ステップＳ８０４で、光学ＬＰＦの設定が変更されていなければ、通常の撮影となるので、ステップＳ８１０へ進む。ステップＳ８１０では、スイッチ１がオンしたか否かを判断する。このスイッチ１はレリーズボタン１１４（図１参照）の半押し状態のことであり、このスイッチ１がオンすると本デジタルカメラは撮影準備状態になる。そして、スイッチ１がオフしていれば前記ステップＳ８０１へ戻り、またスイッチ１がオンであれば、本デジタルカメラは次のステップＳ８１１へ進む。ステップＳ８１１では、測光（ＡＥ）動作及び測距（ＡＦ）動作がそれぞれ行われ、撮影手段である撮影レンズ２００（図１、３参照）が駆動されて焦点合わせが行われる。
【００３６】
次にステップＳ８１２でスイッチ２がオンされたか否かを判断する。このスイッチ２は、レリーズボタン１１４（図１参照）が最後まで押された状態のことであり、このスイッチ２がオンすると次のステップＳ８１３へ進んで本デジタルカメラは撮影動作を開始する。一方、スイッチ２がオフしていれば前記ステップＳ８１０へ戻り、ステップＳ８１０からステップＳ８１２を繰り返す。ステップＳ８１３では、クイックリターンミラー（図３の２０３で示す）が作動して、いわゆるミラーアップして、撮影光路外にクイックリターンミラーが退避する。次に、ステップＳ８１４で撮像素子であるＣＣＤ（図３の２１７で示す）の蓄積が開始され、次のステップＳ８１５では、シャッタの露光、即ち、先幕２１３、後幕２１２（図３参照）がそれぞれ走行する。そして、ステップＳ８１６でＣＣＤの蓄積が終了され、次のステップＳ８１７で、ＣＣＤから画像信号が読み出されて、プリント基板７０１（図７参照）に内蔵されている内部メモリに一時記憶される。ステップＳ８１８でクイックリターンミラー２０３が作動して、いわゆるミラーダウンして、クイックリターンミラーが被写体光をファインダ光学系に導く位置（斜設位置）に戻り、一連の撮像動作が終了する。
【００３７】
次に、光学ＬＰＦの具体的な設定方法と表示について説明する。
【００３８】
図９乃至図１１は、本発明の実施例１のデジタルカメラの背面部と、光学ＬＰＦの設定を変更する場合の、ＴＦＴモニタ装置の表示内容を示している。
【００３９】
図９において、９０１はＴＦＴモニタ装置で、撮影画像やメニュー画面を表示する。９０２はメニュー釦で、９０３は、サブ電子ダイヤルである。ＴＦＴモニタ装置９０１に画像を表示する際や、カメラの初期設定、及び各モードを選択する際は、このメニュー釦９０２を押しながらサブ電子ダイヤル９０３を回転して希望のモードを選択する。希望のモードが選択された時、メニュー釦９０２を離すと選択が完了する。
【００４０】
光学ＬＰＦの設定を変更する場合は、まず、図９において、メニュー釦９０２を押すと、図９のようなメニュー画面表示になる。ここで、メニュー釦９０２を押しながらサブ電子ダイヤル９０３を回転し、９０４のＭａｉｎ  Ｍｅｎｕを選択（文字が白黒反転する）して、メニュー釦９０２を離すと、メインメニューの画面に切り換わる。メインメニューの画面については、図１０を使用して後述する。メニュー画面を終了するときは、メニュー釦９０２を押しながらサブ電子ダイヤル９０３を回転して９０５のＤｏｎｅを選択（文字が白黒反転する）し、メニュー釦９０２を離すと、通常のスタンバイ表示にもどる。
【００４１】
前述したように、９０４のＭａｉｎ  Ｍｅｎｕを選択したときは、図１０のメインメニューの画面に切り換わる。図１０において、光学ＬＰＦの設定を変更する場合は、メニュー釦９０２を押しながらサブ電子ダイヤル９０３を回転して、９０６の“Ｏｐｔｉｃａｌ  Ｆｉｌｔｅｒを選択（文字が白黒反転する）し、メニュー釦９０２を離すと、光学ＬＰＦの変更モードになる。光学ＬＰＦの変更モードの画面については、図１１を使用して後述する。また、図１０において、メインメニューを終了するときは、９０７のＤｏｎｅを、メニュー釦９０２を押しながらサブ電子ダイヤル９０３を回転して選択（文字が白黒反転する）し、メニュー釦９０２を離すと、通常のスタンバイ表示にもどる。
【００４２】
光学ＬＰＦの変更モードになると、図１１のような画面表示になる。図中１１０１は光学ＬＰＦ不使用のアイコンを示し、１１０２は使用のアイコンを示している。１１０３は選択用のアイコンで、選択操作により上下に移動する。ここで、メニュー釦９０２を押しながらサブ電子ダイヤル９０３を回転すると、１１０３のアイコンが上下に移動し、不使用か使用かを選択することができる。９０２のメニュー釦をもう一度押すことにより通常のスタンバイ表示にもどる。
【００４３】
前述したように、本実施形態によれば、カメラの操作部材を操作するだけで、光学ＬＰＦを撮影光路上に入れたり、または撮影光路外に退避させたり、といった動作が、容易に、かつ速やかに可能になり、撮影者の意図に忠実な撮影ができるようになった。
【実施例２】
【００４４】
次に、本発明の実施例２を図１２乃至図１５に基づき説明する。なお、本実施例に係る一眼レフタイプのデジタルカメラの基本的な構成は、上述した実施例１における図１乃至図７及び図９、図１０と同様であるから、これら各図を用いて説明する。
【００４５】
本発明の実施例２が、前述した実施例１と異なる点を、図１２乃至図１５に示す。
【００４６】
図１２は本発明の実施例２に係る光学ＬＰＦの退避手段の構成を説明した図で、図１３は、退避手段に装着されているローパスフィルタベース、光学ＬＰＦの展開図（ａ）と断面図（ｂ）である。
【００４７】
これらの図において、１２０１は第１プーリで、内部にはモータが内蔵されている。１２０２は第２プーリで、第１プーリ１２０１と第２プーリ１２０２には、あらかじめ可撓性フィルムで形成されたローパスフィルタベース１２０３が一定量巻き付けられて固定されている。第２プーリ１２０２内部には付勢部材が内蔵されていて、この付勢力によりローパスフィルタベース１２０３は、図中の矢印方向に常時回転付勢されている。また、１２０４はローパスフィルタベース１２０３の位置を検出するためのフォトセンサであり、ローパスフィルタベース１２０３に形成された位置割出し用の位置コードマーカ１２０３ａ、１２０３ｂ、１２０３ｆ（図１３（ａ）参照）とにより、ローパスフィルタベース１２０３の位置出しを行うことができる。１２０３ｃはローパスフィルタベース１２０３に形成された開口部で、撮影時に光学ＬＰＦを不使用にしたい場合は、撮影光路にこの開口部が対応するように、この退避手段を制御することになる。１２０５は第１の光学ＬＰＦであり、また、１２０６は第１の光学ＬＰＦとは分離幅の異なる第２の光学ＬＰＦである。
【００４８】
図１３（ａ）は、光学ＬＰＦ及びローパスフィルタベースを説明するための展開図である。１２０３ａ、１２０３ｂ、１２０３ｆは前述した通り光学ＬＰＦの退避位置、装着位置を決定するためのマーカで、遮光性の印刷が施してある。このマーカが図１２にあるフォトセンサ１２０４の検出光軸を遮ると電気信号が発生し、第１プーリに内蔵されたモータの駆動を停止して、その位置を決定する。１２０３ｃは開口部であるので、この範囲では光学ＬＰＦの効果は発生しない。
【００４９】
図１３（ｂ）は、光学ＬＰＦ１２０３の断面を示したものである。光学ＬＰＦ１２０３は、水平分離及び垂直分離をする２枚の複屈折フィルムと、その間に位相フィルムを挟み込むような構成になっている。本実施の形態では、位相フィルムがローパスフィルタベースになっていて、分離幅の異なる複数の光学ＬＰＦで構成され、所望のローパスフィルタを選択的に使用できることを特徴としている。
【００５０】
前述したように、本実施例２では、ローパスフィルタ不使用が選択された時は、１２０３ａの位置コードマーカを、フォトセンサ１２０４が検出したときにモータが停止し、同様に、第１の光学ＬＰＦ１２０５が選択された時は、１２０３ｂの位置コードマーカを検出したときにモータが停止し、第２の光学ＬＰＦ１２０６が選択された時は、１２０３ｆの位置コードマーカを検出したときにモータが停止するように制御される。
【００５１】
次に本発明の実施例２に係るレンズ交換式デジタルカメラの動作を図１４に基づき説明する。図１４は、動作の流れを示すフローチャートである。このフローチャートに示される制御プログラムは、図７に示すマイクロコンピュータ７０２の内部に実装されている。また、この図１４のフローチャートでは、そのほとんどが、実施例１のフローチャートである図８と同じであるので、重複する部分の説明は省略し、異なる部分のみ説明する。
【００５２】
図１４において、ステップＳ１４０１乃至ステップＳ１４０４は、図８のステップＳ８０１乃至ステップＳ８０４に同じなので、説明は省略する。
【００５３】
図１４のステップＳ１４０４において、光学ＬＰＦの設定が変更されていれば、ステップＳ１４０５に進み、ローパスフィルタベースの位置コードを読み取る。これにより、図１３（ａ）に示すマーカ１２０３ａ、１２０３ｂ、１２０３ｆのいずれのマーカが、フォトセンサ１２０４を遮っているかということが判る。図１３（ａ）に示す通り、マーカは２進化コードにより識別できるようになっている。光路上にローパスフィルタベース１２０３の開口部１２０３ｃが対応していれば、位置コード１２０３ａが検出される。同様に、光学ＬＰＦ１２０５が光路上にあれば、位置コード１２０３ｂが検出される。同様に、光学ＬＰＦ１２０６が光路上にあれば、位置コード１２０３ｆが検出される。仮に、１２０３ａの位置コードを“０”をとし、１２０３ｂの位置コードを“１”とし、１２０３ｆの位置コードを“２”とする。
【００５４】
ステップＳ１４０６では、設定された所望の光学ＬＰＦの位置コードから、現在の光学ＬＰＦの位置コードを引算し、結果が＋（正）か−（負）かを導く。
【００５５】
ステップＳ１４０７で、上記の結果が＋であればモータ正転、−であればモータ逆転を、図７の退避機構制御回路７２０にセットする。ステップＳ１４０８でモータに通電する。ここでローパスフィルタベース１２０３が移動を開始する。ステップＳ１４０９で所望の光学ＬＰＦの位置コードの検出を判定し、所望の位置コードを検出したら、ステップＳ１４１０に進みモータを停止する。これで光学ＬＰＦの変更が完了する。
【００５６】
一方、ステップＳ１４０４で、光学ＬＰＦの設定が変更されていなければ、通常の撮影となるので、ステップＳ１４１１へ進む。ステップＳ１４１１乃至ステップＳ１４１９は、図８のステップＳ８１０乃至ステップＳ８１８と同一なので、説明は省略する。
【００５７】
図１５は本発明の実施例２を示すもので、実施例１の図１１に相当するものである。前述の第１の光学ＬＰＦ１２０５が選択された時はアイコン１５０５が、第２の光学ＬＰＦ１２０６が選択された時はアイコン１５０６が夫々対応している。
【００５８】
前述したように、本実施形態によれば、カメラの操作部材を操作するだけで、光学ＬＰＦの種別を変えたり、または撮影光路外に退避させたりといった動作が、容易にかつ速やかに可能になり、撮影者の意図に忠実な撮影ができるようになった。
【図面の簡単な説明】
【００５９】
【図１】本発明の実施例に係るデジタルカメラの構成を示す平面図である。
【図２】本発明の実施例に係るデジタルカメラの構成を示す背面図である。
【図３】本発明の実施例に係るデジタルカメラの構成を示す断面図である。
【図４】本発明の実施例１に係る光学ＬＰＦの退避手段の構成を説明した図である。
【図５】本発明の実施例１に係る光学ＬＰＦの構成を説明した断面図である。
【図６】本発明の実施例１に係る光学ＬＰＦの構成を説明した展開図である。
【図７】本発明の実施例に係るデジタルカメラの電気回路ブロック図である。
【図８】本発明の実施例１に係るデジタルカメラの動作の流れを示すフローチャートである。
【図９】本発明の実施例に係るメニューの変更を説明する、デジタルカメラのＴＦＴモニタ装置の表示内容である。
【図１０】本発明の実施例に係る光学ＬＰＦの変更を説明する、デジタルカメラのＴＦＴモニタ装置の表示内容である。
【図１１】本発明の実施例１に係る光学ＬＰＦの変更を説明する、デジタルカメラのＴＦＴモニタ装置の表示内容である。
【図１２】本発明の実施例２に係る光学ＬＰＦの退避手段の構成を説明した図である。
【図１３】本発明の実施例２に係る光学ＬＰＦの構成を説明した展開図及び断面図である。
【図１４】本発明の実施例２に係るデジタルカメラの動作の流れを示すフローチャートである。
【図１５】本発明の実施例２に係る光学ＬＰＦの変更を説明する、デジタルカメラのＴＦＴモニタ装置の表示内容である。
【符号の説明】
【００６０】
１００  カメラ本体
１２０、２２０、９０１  ＴＦＴモニタ装置
１２１  モニタスイッチ
１２３  メインスイッチ
１４０  外部表示液晶装置
２００  撮影レンズ
２０１  撮影光軸
２１２  後幕シャッタ
２１３  先幕シャッタ
２１７、７１５  撮像素子
４０３、１２０３  光学ＬＰＦ
【図１】
2005328459.tif 000003
【図２】
2005328459.tif 000004
【図３】
2005328459.tif 000005
【図４】
2005328459.tif 000006
【図５】
2005328459.tif 000007
【図６】
2005328459.tif 000008
【図７】
2005328459.tif 000009
【図８】
2005328459.tif 000010
【図９】
2005328459.tif 000011
【図１０】
2005328459.tif 000012
【図１１】
2005328459.tif 000013
【図１２】
2005328459.tif 000014
【図１３】
2005328459.tif 000015
【図１４】
2005328459.tif 000016
【図１５】
2005328459.tif 000017